(57)【要約】【課題】  磁芯部材とコイルとを備えたアンテナの感度の低下を最低限に抑え得る電波時計を提供すること【解決手段】  電波時計１は、軟磁性箔体４１，４２が時計の主面の延在方向に積層されてなる磁芯部材４５とこれを取巻くコイル５０とを備えたアンテナ４０を有する。典型的には、アンテナ４０が文字板１５と裏ぶた５との間において時計ケース１０内に収容され、磁芯部材４５を構成する箔体４１，４２の積層体が円弧状に湾曲されている。文字板１５及び裏ぶた５は、典型的には、金属製である。【選択図】  図１
2006242940.tif 000002
【特許請求の範囲】
【請求項１】
軟磁性箔体が時計の主面の延在方向に積層されてなる磁芯部材と、これを取巻くコイルとを備えたアンテナを有する電波時計。
【請求項２】
前記アンテナが文字板と裏ぶたとの間において時計ケース内に収容され、前記磁芯部材を構成する箔体の積層体が円弧状に湾曲されている請求項１に記載の電波時計。
【請求項３】
前記アンテナが時計ケースの一側に設けられたアンテナ収容ケース内に配置されている請求項１に記載の電波時計。
【請求項４】
文字板及び裏ぶたが金属製である請求項１から３までのいずれか一つの項に記載の電波時計。
【発明の詳細な説明】
【技術分野】
【０００１】
本発明は電波時計に係る。
【背景技術】
【０００２】
時刻情報を含む標準電波を受信して該時刻情報に基づいて表示時刻を修正する電波時計は知られている。電波時計において、磁芯部材とコイルとを備えたアンテナの磁芯部材を、軟磁性箔体を積層してなる積層体で構成することも提案されている。この提案の電波時計では、アンテナの磁芯部材の積層体を構成する各箔体は、平面状の形態を有し、各箔体の平面が裏ぶた等の延在方向と平行に延在するように配置されている（特許文献１）。
【０００３】
また、全体として非直線状の磁芯部材を備えたアンテナも提案されている（特許文献２）。
【０００４】
これらの先行技術に開示の電波時計では、アンテナは、時計ケースの外側に形成されたアンテナ収容ケース内に、配置されている。
【０００５】
アンテナを時計ケースの中に収容しようとすると、アンテナの周囲に大きな金属部品が位置することから、アンテナの受信感度が低くなり易い。
【特許文献１】特開２００３−１１０３４１号公報
【特許文献２】特許第３５２６８７４号明細書
【発明の開示】
【発明が解決しようとする課題】
【０００６】
本発明は、前記した点に鑑みなされたものであり、磁芯部材とコイルとを備えたアンテナの感度の低下を最低限に抑え得る電波時計を提供することにある。
【課題を解決するための手段】
【０００７】
本発明の電波時計は、前記目的を達成すべく軟磁性箔体が時計の主面の延在方向に積層されてなる磁芯部材とこれを取巻くコイルとを備えたアンテナを有する。
【０００８】
この電波時計では、アンテナの磁芯部材が時計の主面の延在方向に積層された箔体からなるので、時計の厚さが比較的薄くても、箔体の延在面に箔体を横断しようとする渦電流は、その流路が実際上断たれるから、渦電流損が最低限に抑えられ得る。ここで、主面とは、時計の厚さ方向に垂直な面をいう。
【０００９】
すなわち、磁芯部材にコイルを巻いた形態の受信アンテナでは、コイルの巻回部分からある程度の磁束の漏洩が生じるのは避け難い。標準電波の受信の際に生じるこの漏洩磁束は、時間情報で変調された標準電波の時間的な変動に伴って時間的に変動する。この時間的に変動する漏洩磁束は、その周囲に金属部品がある場合には、無視し難いレベルの渦電流を生じさせる虞れがある。磁芯部材が箔体の積層体からなる場合、箔体の延在面を横切る向き（積層方向）の渦電流は実際上禁止され、渦電流は、実際上箔体の延在面に沿って流れる。その結果、箔体の主面に対面する位置に大きな金属部品がある場合には、箔体と協働して渦電流の流路を与えることになって渦電流が大きくなり、渦電流損が大きくなり易い。
【００１０】
ところが、本発明の電波時計では、磁芯部材を構成する軟磁性箔体が時計の主面の延在方向に積層されているので、時計の厚さ方向に近接して比較的大きい金属部品があっても主面の拡がり方向において箔体に近接して対面する金属部品を欠く限り、この種の渦電流損は比較的小さく抑えられ得る。従って、時計の厚さ方向に金属部品があっても、この種の渦電流損の生起を最低限に抑えつつ時計を比較的薄くすることが可能になる。
【００１１】
本発明の電波時計では、典型的には、アンテナが文字板と裏ぶたとの間において時計ケース内に収容され、磁芯部材を構成する複数の箔体の積層体が円弧状に湾曲されている。
【００１２】
本発明の電波時計では、時計ケースの文字板や裏ぶたが金属製であっても、該文字板や裏ぶたには箔体の主面ではなくて積層体の端縁が対面するので、箔体の延在面（主面）から大きな金属部品までの距離が比較的大きく保たれ得る限り、この種の渦電流損は最低限に抑えられ得、アンテナの感度が高められ得る。
【００１３】
腕時計では一般的に厚さが比較的薄いものが好まれる。仮に、特許文献１に開示されているように磁芯部材を構成する軟磁性箔体を時計の主面に垂直な向きに積層した状態で時計ケース内において金属製の文字板や金属製の裏ぶたの間に配設すると仮定すると、磁芯部材の箔体の延在面に沿って生じる渦電流が、アンテナの上下（前面側や背面側）に位置する金属製部品（文字板や裏ぶた）に沿って流れ易くなることから、渦電流損が大きくなり、電波受信効率低下を無視し難くなるのに対して、本発明の電波時計では、この種の渦電流損が最低限に抑えられ得る。
【００１４】
その結果、本発明の電波時計では、厚さを最低限にすることが可能になるだけでなく、文字板等を金属製にして高級感のあるものにすることも可能になる。また、アンテナを文字板と裏ぶたとに挟まれた状態で時計ケース内に納めることも可能になる。
【００１５】
但し、所望ならば、アンテナを時計ケース内に配置する代わりに、時計ケースの一側に別個に設けられたアンテナ収容ケース内に配置してもよい。
【００１６】
以上において、磁芯部材は、ケース等に沿って湾曲していても、直線状に延びていても、折線状に曲がっていてもよい。
【発明を実施するための最良の形態】
【００１７】
次に、本発明の好ましい実施の形態を添付図面に示した好ましい実施例に基づいて説明する。
【実施例１】
【００１８】
図１の（ａ）及び（ｂ）には、本発明の好ましい第一実施例の電波時計１が示されている。電波時計１は、内周面１１が円形の平面形状を備えた非磁性金属材料からなるケース１０を有する。ケース１０のほぼ円筒状の開口部３は、ガラス４と反対側の金属製の裏ぶた５とで閉じられて、各種時計部品の収容室６になっている。７は巻真、８はリューズである。
【００１９】
ケース１０の大径円筒状部１２と小径円筒状部１３との段差部１４には、非磁性金属材料からなる文字板１５及び樹脂製の地板１６が載置されて、ケース１０内の室６を、各種駆動部品が収容される室１７と、各種指針１８が収容される室１９とに画成している。地板１６は、例えば、ケース１０の室１７の内周面１７ａとほぼ同様な円形の外周面１６ａを備える。ここで、時計１の主面は、文字板１５や裏ぶた５の延在面と一致し、図１の（ａ）の面に平行な面（Ｘ−Ｙ平面）である。
【００２０】
地板１６の中心には、中心軸線Ｃに沿って、同心の各種胴部ないし軸部２１が貫通する。室１９内に突出した端部に夫々の指針１８が取付けられた各胴部２１は、室１７内において該胴部２１の周りの各種歯車により相互に結合されて全体としてウオッチムーブメント２２をなしている。ムーブメント２２の輪列を構成する各種歯車の多くは、地板１６と該地板１６に間隔をおいて取付けられた輪列受との間で、回転自在に支持されている。
【００２１】
中心軸線Ｃの周りに分布したムーブメント２２の輪列の近傍には、ステータ２４及びロータ２５を含むモータ２６がねじ９２，９２で地板１６に取付けられ、中心軸線Ｃに関してステータ２４の反対側には、ボタン型電池２７が配置されている。２６ａはコイルである。
【００２２】
また、中心軸線Ｃの延在方向Ｚに関して、モータ２６の背面側には、回路基板２８が載置され、ねじ９１で地板１６に固定されている。回路基板２８は、大形の各種部品の配設を許容すべく該大型部品の一部が遊嵌され得る切欠部ないし開口部３１を有する。この開口部ないし切欠部３１としては、ボタン型電池２７の配設を許容する大きな半円形ないしほぼ円形の切欠部３１ａや、ステータ２４の配設を許容する長方形の開口部３１ｃに加えて、後述する受信アンテナ４０の配設を許容する大きな円弧状切欠部３１ｂを含む。
【００２３】
回路基板２８のうち裏ぶた５に対面する側には、水晶発振器等を含む回路部品が実装され、同様に電池２７によって給電されたモータ２６を駆動して、ムーブメント２２を介して、指針１８を回す。
【００２４】
地板１６の外周縁部の近傍には、全体として円弧状のアンテナ構造体としての受信アンテナ４０が、樹脂製のアンテナ枠６０及び樹脂製のねじ６２により、装着・固定されている。
【００２５】
アンテナ４０は、軟磁性アモルファス合金からなる箔体（例えば、幅０．８ｍｍ程度，厚さ２０μｍ程度）として、長さの長いもの（例えば、長さ３０ｍｍ程度）４１と、長さの短いもの（例えば、長さ２０ｍｍ程度）４２とを、夫々、複数枚（例えば、夫々、２０枚程度）重ねてなる薄片４３，４４（夫々、厚さ０．４ｍｍ程度）を相互に重ね、長さの短い箔体４２からなる薄片４４が外周側に位置するように円弧状に湾曲した形状を有する磁芯部材ないしアンテナコア４５を備える。短い薄片４４は、長い薄片４３の長手方向の真中に配置され、長い薄片４３は、その両端部４６ａ，４６ｂ（区別しないとき又は総称するときは符号４６で表す）が短い薄片４４の両端部分４７ａ，４７ｂ（区別しないとき又は総称するときは符号４７で表す）から突出している。なお、ここで記載した厚さ及び積層枚数や幅や長さ等は、単なる一例であって、当然ながら、夫々、より大きくてもより小さくてもよい。なお、薄片４３，４４の厚さや箔体４１，４２の積層枚数は、この例では、同一であるけれども、異なっていてもよい。三種類以上の長さの異なる箔体により、三種類以上の長さの異なる薄片を形成してもよい。また、両側の突出端部４６ａ，４６ｂは、典型的には、同一の寸法形状を有するけれども、レイアウトその他の配置環境や隣接部品の種類次第では、端部４６ａ，４６ｂの形状や長さが相互に異なっていてもよい。なお、磁芯部材４５は、長さの異なる複数の箔体からなる代わりに、実質的に同一長さの多数の箔体の積層体からなっていてもよい。
【００２６】
磁芯部材４５の中央部分４８には、電気絶縁性フィルムを介して、ワイヤ５１が多数回巻回されてコイル５０が形成されている。
【００２７】
円弧状に湾曲した磁芯部材４５は、実際上、中心軸線Ｃを中心とした円弧をなす。従って、図２に示したように、磁芯部材４５のうち薄片４４の外周面５２とケース１０の室１７の周面１７ａとの距離ないし間隔Ｌ４は、磁芯部材４５の全長にわたって、実質的に一定である。即ち、磁芯部材４５が円弧状に湾曲しているので、磁芯部材４５は、ケース１０に対して、所望の間隔Ｌ４を保ち、且つ該間隔Ｌ４を含めた占有スペースを最低限にするように、周面１７ａに近接した状態で、ケース１０内に配設され得る。この間隔は、数ｍｍ程度（例えば、２ｍｍ程度）である。但し、より大きくてもより小さくてもよい。なお、いずれにしても、この間隔Ｌ４は、時計１の厚さ方向の間隔等と比較して、大きく設定され易い。
【００２８】
アンテナ４０の磁芯部材４５のうちコイル５０の両端から突出し露出した露出端部５３ａ，５３ｂ（区別しないとき又は総称するときは符号５３で表す）は、電波受信用端部を構成する。この端部５３は、前述の短い薄片４４の端部４７と、長い薄片４３の該端部４７に重なった部分及び突出部分４６とからなる。
【００２９】
磁芯部材４５の各露出端部５３には、断面がＵ字状の形状のアンテナ枠６０が被せられる。アンテナ枠６０のＵの脚部を構成する内周側及び外周側壁部６３，６４のうち外周側壁部６４は、図１の（ａ）からわかるように、磁芯部材４５の露出端部５３のうち短い薄片４４の端部４７よりも先端側のところで肉厚に拡がった厚肉部６５を備える。厚肉部６５にはねじ孔６６が形成され、該ねじ孔６６に挿入されたねじ６２により、アンテナ枠６０が地板１６に固定されている。なお、この例では、厚肉部６５は、半径方向外向きにも拡がって、ねじ止め領域を確保している。従って、アンテナ４０は、狭いスペースが活用された状態で、アンテナ枠６０により、地板１６に固定されている。ねじ６２は、例えば、頭部の直径が１．５ｍｍ程度、軸部の直径が０．７ｍｍ程度である。但し、夫々、より大きくてもより小さくてもよい。
【００３０】
なお、このアンテナ４０では、磁芯部材４５の露出端部５３が、磁束が拡がり易い先端部分４６において薄片４４を欠いているので、露出端部５３の先端部分４６がケース１０の内周面から離れて位置し得るから、ケース１０の存在によって、電波の受信が妨げられる虞れが低減され、電波の受信感度が高められ得る。また、端部５３の先端部分４６がケース１０の影響を受ける虞れが低いので、先端部分４６を長くしてより広い領域で電波の受信をすることが可能になるから、感度が高められ易い。従って、アンテナ４０とケース１０との間の間隙Ｌ４を最低限にし得、間隙Ｌ４を含めた占有スペースを最低限に抑え得る。
【００３１】
このアンテナ４０では、コイル５０の隙間からの漏れ磁束に関し、仮に、時刻情報で変調された標準電波の磁場成分の時間的変動に伴なう磁束の時間的変動に従った該漏れ磁束の時間的変動に応じてこれを打ち消すような渦電流が生起しようとしても、その渦電流の流路を与える導電体がアンテナ４０の近傍の流路形成位置に存在しないことから、強い渦電流が生じ難いので、この種の渦電流による損失が最低限に抑えられ得る。
【００３２】
すなわち、腕時計１００のケース１０５内において従来のアンテナ配置を採る場合を想定すると、例えば、図２の（ｂ）に示したように、金属製の文字板１５と金属製の裏ぶた５との間において、時計の主面すなわち文字板１５や裏ぶた５の延在方向（Ｘ−Ｙ平面）に沿ってこれらに平行に延在した箔体１０１の積層体１０２からなる磁芯部材１０３を備えたアンテナ１０４を有することになる。ここで、腕時計１００では、時計１００の厚さが不恰好なまでに厚くない限り、ＸＹ方向の拡がりと比較して厚さ即ちＺ方向長さが比較的小さいので、磁芯部材１０３と金属部材５，１５や１０５との距離は、Ｘ，Ｙ方向よりもＺ方向で小さくなるのを避け難い。即ち、腕時計１００では、磁芯部材１０３と金属製裏ぶた５や金属製文字板１５との距離Ｌ１，Ｌ２は、磁芯部材１０３とケース１０５の内周面１０６との最短距離Ｌ３よりも小さい。即ち、Ｌ１，Ｌ２＜Ｌ３である。従って、標準電波の受信の際に時間的に変動する磁束の漏れが生じ箔体１０１の延在方向に渦電流Ａ１やＡ２が生じる場合、その渦電流Ａ１，Ａ２は、図２の（ｂ）において符号Ｆ１，Ｆ２で示したように、近接して位置し平行に延在する金属製裏ぶた５や金属製文字板１５を含む流路に沿って流れ易い。従って、標準電波が、このような渦電流Ａ１，Ａ２に変換される分だけ、アンテナ１０４のコイル１０７による検出感度が低下する。
【００３３】
一方、この電波時計１では、アンテナ４０の箔体４１，４２が、図２の（ａ）に示したように、時計１の主面（Ｘ−Ｙ平面）の延在方向すなわち金属製裏ぶた５や金属製文字板１５の延在方向Ｘ，Ｙに積層され、該延在方向に垂直な向きＺ方向に延びているので、積層体４５の端縁４５ａ，４５ｂと対応する金属部品５，１５との距離は、積層体４５の外周面５２とケース１０５の内周面１０６との最短距離Ｌ３よりも小さい。即ち、Ｌ１，Ｌ２＜Ｌ３である。従って、標準電波の受信の際に時間的に変動する磁束の漏れが生じ箔体４１の延在面内にこれに伴う渦電流Ａが生じても、金属製ケース１０との距離Ｌ４が金属製裏ぶた５や金属製文字板１５との距離Ｌ１，Ｌ２と比較して大きい（Ｌ４＞Ｌ１，Ｌ２）ので、この渦電流Ａの流路Ｆの実効抵抗が大きくなるから、大きな渦電流が生じにくい。従って、標準電波が渦電流Ａの生起に費やされる割合が最低限に抑えられ、アンテナ４０の検出感度が高められ得る。
【００３４】
以上において、文字板１５及び裏ぶた５は非磁性金属からなるからなるけれども、所望ならば、文字板１５及び裏ぶた５のうちの一方又は両方が樹脂でもよい。また、ねじ６２は樹脂からなる代わりに、非磁性金属でできていてもよい。
【００３５】
なお、電波時計１は、更に、受信電波の検波用回路や水晶発振器等からなる時刻信号の検出部を備え、アンテナ４０で受信した標準電波中の時刻情報を取出して、時刻調整制御部（図示せず）の制御下で、モータ２６の回転駆動を制御して、指針１８により表示される時刻を調整する。
【００３６】
電波時計１では、アンテナ４０の感度が高められ得るので、標準電波の比較的弱い地域や電波が弱くなり易い種類の建物の室内等でも、標準電波をより確実に受信して、指針の表示時刻の修正を行うことが可能になる。
【実施例２】
【００３７】
アンテナは、ケース内に配置される代わりに、ケースの外に配置されてもよい。このような第二実施例の電波時計１ｄが、図３に示されている。図３の時計１ｄにおいて、図１の時計１と同様な部材や要素や部位には、同一の符号が付され、部分的に異なる部材や要素や部位には、添字ｄが付されている。
【００３８】
この第二実施例の電波時計１ｄでは、ケース１０ｄが、全体として円形である代わりに、周壁７０の一部７１が直線状になっている。電波時計１ｄは、また、この直線状の側壁部７１の外側に、細長いほぼ直方体状のアンテナ収容ケース８０を有する。
【００３９】
ケース１０ｄは、アンテナを内部に収容していない点を除いて、ケース１０と同様な部品を内部に収容している。
【００４０】
アンテナ収容ケース８０は、図３の（ｂ）からわかるように、ケース１０ｄに固定された断面Ｕ字状の外壁部８１を有する。外壁部８１は、樹脂製の裏側壁部８２と、樹脂製の前面側壁部８５とからなる。裏側壁部８２は金属製でもよい。裏側壁部８２は、一側８２ａでケース１０ｄの外壁部７１の外面７１ａに固定され裏側において裏ぶた５ｄとほぼ面一に延びる。前面側壁部８５は、前側壁部分８３と、外側壁部分８４とからなる。前側壁部分８３は、ガラス４ｄ側において外向きに延び、外側壁部分８４は、前側壁部分８３から湾曲して連続的に裏向き（＋Ｚ方向）に延び裏側壁部８２につながっている。外壁部８１の前面側壁部８５の外表面には、金属カバー８６が取付けられている。
【００４１】
アンテナ収容ケース８０とケース１０ｄの側壁８１とによって形成された断面が正方形の細長い室８７内には、直線状の棒状アンテナ４０ｄが収容されている。アンテナ４０ｄは、直線状の磁芯部材４５ｄと、コイル５０ｄとを有する。磁芯部材４５ｄは、細長い帯状の箔体４１ｄが時計１ｄの主面（Ｘ−Ｙ平面）の延在方向（この例では、Ｘ方向）に多数枚積層された積層体からなる。箔体４１ｄは、裏ぶた５ｄや文字板１５ｄの延在方向に直角な向きに延在している。ケース１０ｄの側壁部７１には、貫通孔７３が形成され、アンテナ４０ｄのコイル５０ｄのワイヤ５１ｄが、孔７３を通って、ケース１０ｄ内の検出回路に延びている。
【００４２】
アンテナ収容ケース８０は、アンテナ４０ｄを内部に収容し得、且つ本体ケース１０ｄに一体的に取り付けられ得る限り、その壁部の構造や形は、例示したものとは異なっていてもよい。
【００４３】
この電波時計１ｄの場合にも、磁芯部材４５ｄを構成する箔体４２ｄがＺ方向に延在する状態で積層されているから、アンテナ４０ｄのコイル５０ｄの漏れ磁束の時間的変動に伴う渦電流の生起が最低限に抑えられ得るので、アンテナ４０ｄの検出感度が高く保たれ得る。なお、箔体は、コイル５０ｄよりも十分長いことを示すべく、符号４１ｄとしたけれども、同一長さの箔体からなる代わりに、金属製のケース１０ｄに近接する側に、短い箔体４２ｄが積層されているなど、長さの異なる箔体の組合せであってもよい。
また、これらの実施例は腕時計の場合について説明したが、置き時計や掛け時計であっても構わない。
【図面の簡単な説明】
【００４４】
【図１】本発明による好ましい第一実施例の電波時計を示したもので、（ａ）は裏ぶたを省いた状態でケースの内部を示した平面説明図、（ｂ）は（ａ）のＩＢ−ＩＢ線断面説明図。
【図２】図１の電波時計のアンテナを説明するための図で、（ａ）はアンテナの周囲を拡大して示した図１の（ｂ）と同様な断面説明図、（ｂ）は従来のアンテナ配置の場合における（ａ）と同様な断面説明図。
【図３】本発明による好ましい第二実施例の電波時計を示したもので、（ａ）は裏ぶた及び裏側壁部を省いた状態でケースの内部を示した図１の（ａ）と同様な平面説明図、（ｂ）は（ａ）のＩＩＩＢ−ＩＩＩＢ線断面説明図。
【符号の説明】
【００４５】
１，１ｄ  電波時計
４，４ｄ  ガラス
５，５ｄ  裏ぶた
１０，１０ｄ  ケース
１５，１５ｄ  文字板
１６，１６ｄ  地板
１８  指針
２２  ムーブメント
２６  モータ
２７  電池
４０，４０ｄ  受信アンテナ
４１，４２，４２ｄ  箔体
４５，４５ｄ  磁芯部材
５０，５０ｄ  コイル
５１，５１ｄ  ワイヤ
６０  アンテナ枠
７０  周壁
７１  側壁部
８０  アンテナ収容ケース
８１  外壁部
８２  裏側壁部
８３  前側壁部分
８４  外側壁部分
８５  前面側壁部
８６  金属カバー
Ａ  渦電流
Ｃ  中心軸線
Ｆ  流路
Ｌ１，Ｌ２，Ｌ４  距離（間隔）
Ｘ，Ｙ，Ｚ  方向
【図１】
2006242940.tif 000003
【図２】
2006242940.tif 000004
【図３】
2006242940.tif 000005